(57)【要約】      （修正有）【課題】ハンドレールの広告印刷物の交換には、多数の人員と時間を要し、即時性のある広告等への適応性が無い。又、人の動きに追従しないため一過性だけのものである。【解決手段】エスカレータ等のハンドレール１及び壁面にプロジェクター等の投影装置２や薄型の液晶モニタ等の表示装置で画像を表示させる事で、任意の画像を表示・移動表示させるが出来る。ハンドレール１にフィルム状やフレキシブルな薄型の液晶モニター８、スピーカー９、さまざまな装置１０を組み込むことで、携帯電話や携帯端末等１５と広告やメッセージ等のサービスの配信、受信が出来、コンピュータ、サーバー等による集中管理及び遠隔管理１２が出来るようになる。又、ソーラーシステム１１、等を組み込むことで電源管理１８がたやすくなる。【選択図】  図１
2005082400.tif 000002
【特許請求の範囲】
【請求項１】
エスカレータ及び動く歩道等のハンドレール及び壁面にプロジェクター等の投影装置で広告及びメッセージ等の画像（静止画及び動画像、３Ｄ画像、等）を投影させる事でシールや印刷物を交換することなく、任意の画像を任意の時間に表示させる事が出来る方法及び装置。
【請求項２】
この画像をエスカレータや動く歩道等の動きと同期させて光軸を動かす事で画像を動かす事が出来る。この事により、ハンドレールや壁面の画像をエスカレータ等に乗っている人は同じ画面を見続けることが出来る方法及び装置。
【請求項３】
このハンドレールに貼り付けるシール内にＩＣチップや各種のセンサー等を装着、又はハンドレールとシールの間に装着する事で、画像とエスカレータや動く歩道等の動きを同期させる事が出来るようになる。
【請求項４】
また、ハンドレールにフィルム状やフレキシブルな薄型の液晶モニター、スピーカー、等を組み込むことで、広告やメッセージ等のサービスの配信、受信が出来るようになる。
【請求項５】
このハンドレールや壁面等にフィルム状やフレキシブルな薄型のさまざまな装置（ＩＣチップ、各種センサー（音圧、光、温度、視覚、におい、圧力、赤外線、超音波センサー、等））を組み込むことで、携帯端末や携帯電話等と双方向通信が出来るようになり、広告やメッセージ等のサービスの配信、受信が出来るようになる。
【請求項６】
このハンドレールや壁面等にフィルム状やフレキシブルな薄型のソーラーシステム（フレキシブルソーラーセル）、等を組み込むことで電源管理がたやすくなる。
【請求項７】
提供するサービスをインターネット、ＬＡＮ、無線ＬＡＮ、赤外線通信、その他の無線通信方法とする事で、コンピュータ、サーバー等による集中管理及び遠隔管理が出来るようになる。
【発明の詳細な説明】
【技術分野】
【０００１】エスカレータ及び動く歩道のハンドレール及び壁面にプロジェクター等を利用し、広告及びメッセージ等の画像及び動画像を表示させる、及びその画像をエスカレータ等に乗った人の動きと同期させ表示させる方法及び装置。【０００２】上記のハンドレール等にフィルム状やフレキシブルな薄型の液晶モニター、スピーカー、さまざまな装置（ＩＣチップ、各種センサー（音圧、光、温度、視覚、におい、圧力、赤外線、超音波センサー、等））を組み込むことで、携帯端末や携帯電話等と双方向通信が出来るようになり、広告やメッセージ等のサービスの配信、受信が出来る方法及び装置。
【背景技術】
【０００３】従来、エスカレータ及び動く歩道のハンドレール表面に文字や図柄の入ったシールを貼る、化粧ゴムに透明カバーを装着する、化粧ゴム自体を透明にし、その内部に文字や図柄を取り付けていた。
【特許文献１】      特開平５−３０６０８７
【米国特許文献２】
６，４５０，２２８
【米国特許文献３】
５，５１１，６４７
【米国特許文献４】
５，０２０，２５６
【発明の開示】
【発明が解決しようとする課題】
【０００４】解決しようとする問題点は、従来、ハンドレールに広告印刷物（文字や図柄の入ったシール等）を設置するには、交換時には、化粧ゴムにシール等を貼り付ける。広告の入れ替え時には、張り付けたシールを剥がし、新たに貼り付ける。又は透明カバーを取り外し広告印刷物等を交換する必要があった。複数台のエスカレータ等にこれらの作業を同時期に行う為には、多数の人員と作業時間を要する。その為、きめ細かなスケジュールでの広告が出来ない等、即時性のある広告等への適応性が無い。又、壁面広告は人の動きに追従しないため一過性だけのものである。
【課題を解決するための手段】
【０００５】本発明は、これらの欠点を解決させる為の方法及び装置である。
エスカレータ等のハンドレール及び壁面にプロジェクター等の投影装置や薄型の液晶モニタ等の表示装置で画像（静止画、動画、３Ｄ画像、等）を表示させる事でシールや印刷物を交換することなく、任意の画像を任意の時間に表示させる事が出来る。【０００６】ハンドレール等に画像を映し出す為には最適な素材及び色を選ぶ事で可能となる。又、新たにハンドレールを交換できない既存のエスカレータ等には、最適な素材及び色のシールを貼り付けることで解決する事が出来る。
【発明の効果】
【０００７】エスカレータや動く歩道等の動きと同期させて光軸を動かす事で、画像を任意に移動させる事が出来る。【０００８】プロジェクタ等の投影機を使用しない場合は、ハンドレールに薄型の液晶モニタ等の表示装置を装着する事により、任意の画像を任意の時間に表示させる事が出来る。【０００９】上記のハンドレール等にフィルム状やフレキシブルな薄型の液晶モニター、スピーカー、さまざまな装置（ＩＣチップ、各種センサー（音圧、光、温度、視覚、におい、圧力、赤外線、超音波センサー、等））を組み込むことで、携帯端末や携帯電話等と双方向通信が出来るようになり、広告やメッセージ等のサービスの配信、受信が出来る。
【実施例１】
【００１０】本発明の実施の形態について、図面とともに説明する。図１は、エスカレータ等にプロジェクタ等の投影装置で広告やメッセージ等の画像を投影させる方法の一例を示す図である。
エスカレータや動く歩道等の動きと同期させて光軸３を動かす事で、４、５、６のように画像を任意に移動させる事が出来る。【００１１】ハンドレール１にフィルム状やフレキシブルな薄型の液晶モニター８、スピーカー９、さまざまな装置１０を組み込むことで、携帯電話や携帯端末等１５と双方向通信が出来るようになり、広告やメッセージ等のサービスの配信、受信が出来る。【００１２】このハンドレールや壁面等にフィルム状やフレキシブルな薄型のソーラーシステム１１（フレキシブルソーラーセル）、等を組み込むことで電源管理１８がたやすくなる。【００１３】提供するサービスをインターネット１３、ＬＡＮ１４、無線ＬＡＮ１４、赤外線通信１７、その他の無線通信方法とする事で、コンピュータ、サーバー等による集中管理及び遠隔管理１２が出来るようになる。
【図面の簡単な説明】
【００１４】
【図１】ハンドレールと液晶プロジェクタ等の表示装置の設置の一例を示す図である。
【図２】ハンドレールにフィルム状の液晶モニタを設置する一例を示す図である。
【図３】ハンドレールにフィルム状のスピーカーを設置する一例を示す図である。
【図４】ハンドレールにフィルム状のＩＣチップやセンサーを設置する一例を示す図である。
【図５】ハンドレールにフィルム状のソーラーシステム（ソーラーセル）を設置する一例を示す図である。
【図６】本発明システム及びネットワーク構成の一例を示す図である。
【符号の説明】
【００１５】  １  ハンドレール
２  投影機（液晶プロジェクタ等）
３  光軸
４  画像（Ａ１）
５  画像（Ａ２）
６  画像（Ａ３）
７  シール
８  フィルム状の薄型液晶モニタ等表示部
９  フィルム状のスピーカー
１０  ＩＣチップや各種センサー
１１  フィルム状やフレキシブルな薄型ソーラーシステム（ソーラーセル）
１２  サーバー管理
１３  インターネット網
１４  ＬＡＮ及び無線ＬＡＮ等
１５  携帯電話等
１６  携帯電話用インターネット通信
１７  赤外線通信等
１８  ソーラーシステムからの電力供給
【図１】
2005082400.tif 000003
【図２】
2005082400.tif 000004
【図３】
2005082400.tif 000005
【図４】
2005082400.tif 000006
【図５】
2005082400.tif 000007
【図６】
2005082400.tif 000008